(57)【要約】【課題】  サーバ装置が生成した情報をリーダライタ端末経由で携帯端末へ配信するときに、サーバ装置とリーダライタ端末との間で同じ画像データが繰り返し送受信される回数を少なくする。【解決手段】  Ｒ／Ｗ端末２は、非接触ＩＣカードを内蔵した携帯端末３から携帯端末ＩＤを読み取る（ステップＳ１）。Ｒ／Ｗ端末２はサーバ装置１へ、第１の情報配信要求メッセージ５を送信する（ステップＳ２）。サーバ装置１は、配信情報生成部１２が、所定の条件に基づき販売促進情報を生成し（ステップＳ３）、Ｒ／Ｗ端末２へ送信する（ステップＳ４）。Ｒ／Ｗ端末２は、メモリ２４に画像ＩＤと対応付いた画像データがある場合は（ステップＳ５，Ｙｅｓ）、制御部２２は画像ＩＤに対応付いた画像データを含む第２の情報を生成し（ステップＳ６）、非接触ＩＣ通信部２３を使って携帯端末３へ第２の情報を送信する（ステップＳ７）。【選択図】  図４
2011086236.tif 000002
【特許請求の範囲】
【請求項１】
非接触ＩＣ通信を行うリーダライタ端末から非接触ＩＣを内蔵した携帯端末へ、サーバ装置が生成する情報を配信する情報配信システムにおいて、
前記サーバ装置は、第１のネットワーク通信部と、画像ＩＤと画像データとを対応付けて記憶する配信情報管理部と、前記配信情報管理部から所定の情報を生成する配信情報生成部と、を備え、
前記リーダライタ端末は、制御部と、画像ＩＤと画像データとを対応付けて記憶するメモリと、非接触ＩＣ通信を行う非接触ＩＣ通信部と、第２のネットワーク通信部と、を備え、
前記リーダライタ端末は、前記非接触ＩＣ通信部が非接触ＩＣ通信を行って携帯端末を検出すると、前記第２のネットワーク通信部が前記サーバ装置へ第１の情報配信要求を送信し、
前記サーバ装置は、前記第１のネットワーク通信部が前記第１の情報配信要求を受信すると、前記配信情報生成部が前記配信情報管理部に記憶されている画像ＩＤを含む第１の情報を所定の条件に基づき生成し、当該第１の情報を前記第１のネットワーク通信部が前記リーダライタ端末へ送信し、
前記リーダライタ端末は、前記第２のネットワーク通信部が前記第１の情報を受信すると、前記制御部が前記メモリから当該第１の情報に含まれる画像ＩＤに対応付いた画像データを検索し、さらに前記制御部はこの検索して得られた画像データを含む第２の情報を生成し、前記非接触ＩＣ通信部が非接触ＩＣ通信を行って当該第２の情報を前記携帯端末へ送信する
ことを特徴とする情報配信システム。
【請求項２】
前記リーダライタ端末は、前記制御部が前記メモリを検索して前記第１の情報に含まれる画像ＩＤに対応付いた画像データを得られなかった場合、前記第２のネットワーク通信部が前記サーバ装置へ前記画像ＩＤに対応付いた画像データの要求を含む第２の情報配信要求を送信し、
前記サーバ装置は、前記第１のネットワーク通信部が前記第２の情報配信要求を受信すると、前記所定の条件を満たすように前記配信情報生成部が前記配信情報管理部に対応付けて記憶されている画像ＩＤと画像データとを含む第３の情報を生成し、当該第３の情報を前記第１のネットワーク通信部が前記リーダライタ端末へ送信し、
前記リーダライタ端末は、前記第２のネットワーク通信部が受信した前記第３の情報のうち、少なくとも画像データを含む第４の情報を前記制御部が生成し、前記非接触ＩＣ通信部が非接触ＩＣ通信を行って当該第４の情報を前記携帯端末へ送信する
ことを特徴とする請求項１に記載の情報配信システム。
【請求項３】
前記制御部は、前記サーバ装置から受信した前記第３の情報に含まれる画像ＩＤと画像データとを対応付けて前記メモリに記憶する
ことを特徴とする請求項２に記載の情報配信システム。
【請求項４】
前記メモリの空き容量が前記第３の情報に含まれる画像ＩＤと画像データとのデータサイズに満たない場合、前記制御部は前記メモリの空き容量が前記データサイズを上回るように前記メモリから画像データを古い順に削除し、前記第３の情報に含まれる画像ＩＤと画像データとを対応付けて前記メモリに記憶する
ことを特徴とする請求項３に記載の情報配信システム。
【請求項５】
非接触ＩＣ通信を行うリーダライタ端末から非接触ＩＣを内蔵した携帯端末へ、サーバ装置が生成する情報を配信する情報配信システムにおいて、
前記サーバ装置は、第１のネットワーク通信部と、文字データと画像ＩＤと画像データとを対応付けて記憶する配信情報管理部と、前記配信情報管理部から所定の情報を生成する配信情報生成部と、を備え、
前記リーダライタ端末は、制御部と、画像ＩＤと画像データとを対応付けて記憶するメモリと、非接触ＩＣ通信を行う非接触ＩＣ通信部と、第２のネットワーク通信部と、を備え、
前記リーダライタ端末は、前記非接触ＩＣ通信部が非接触ＩＣ通信を行って携帯端末を検出すると、前記第２のネットワーク通信部が前記サーバ装置へ第１の情報配信要求を送信し、
前記サーバ装置は、前記第１のネットワーク通信部が前記第１の情報配信要求を受信すると、前記配信情報生成部が前記配信情報管理部に対応付けて記憶されている文字データと画像ＩＤを含む第１の情報を所定の条件に基づき生成し、当該第１の情報を前記第１のネットワーク通信部が前記リーダライタ端末へ送信し、
前記リーダライタ端末は、前記第２のネットワーク通信部が前記第１の情報を受信すると、前記制御部が前記メモリから当該第１の情報に含まれる画像ＩＤに対応付いた画像データを検索し、さらに前記制御部は前記第１の情報に含まれる文字データと前記検索して得られた画像データを含む第２の情報を生成し、前記非接触ＩＣ通信部が非接触ＩＣ通信を行って当該第２の情報を前記携帯端末へ送信する
ことを特徴とする情報配信システム。
【請求項６】
前記リーダライタ端末は、前記制御部が前記メモリを検索して前記第１の情報に含まれる画像ＩＤに対応付いた画像データを得られなかった場合、前記第２のネットワーク通信部が前記サーバ装置へ前記画像ＩＤに対応付いた画像データの要求を含む第２の情報配信要求を送信し、
前記サーバ装置は、前記第１のネットワーク通信部が前記第２の情報配信要求を受信すると、前記所定の条件を満たすように前記配信情報生成部が前記配信情報管理部に対応付けて記憶されている文字データと画像ＩＤと画像データとを含む第３の情報を生成し、当該第３の情報を前記第１のネットワーク通信部が前記リーダライタ端末へ送信し、
前記リーダライタ端末は、前記第２のネットワーク通信部が受信した前記第３の情報のうち、少なくとも文字データと画像データとを含む第４の情報を前記制御部が生成し、前記非接触ＩＣ通信部が非接触ＩＣ通信を行って当該第４の情報を前記携帯端末へ送信する
ことを特徴とする請求項５に記載の情報配信システム。
【請求項７】
非接触ＩＣ通信を行うリーダライタ端末から非接触ＩＣを内蔵した携帯端末へ、サーバ装置が生成する情報を配信する情報配信方法において、
前記リーダライタ端末は、非接触ＩＣ通信を行って携帯端末を検出すると、前記サーバ装置へ第１の情報配信要求を送信し、
前記サーバ装置は、前記第１の情報配信要求を受信すると、画像ＩＤを含む第１の情報を所定の条件に基づき生成し、当該第１の情報を前記リーダライタ端末へ送信し、
前記リーダライタ端末は、前記第１の情報を受信すると、当該リーダライタ端末内のメモリから当該第１の情報に含まれる画像ＩＤに対応付いた画像データを検索し、この検索して得られた画像データを含む第２の情報を生成し、非接触ＩＣ通信を行って当該第２の情報を前記携帯端末へ送信する
ことを特徴とする情報配信方法。
【請求項８】
非接触ＩＣ通信を行うリーダライタ端末から非接触ＩＣを内蔵した携帯端末へ、サーバ装置が生成する情報を配信する情報配信方法において、
前記リーダライタ端末は、非接触ＩＣ通信を行って携帯端末を検出すると、前記サーバ装置へ第１の情報配信要求を送信し、
前記サーバ装置は、前記第１の情報配信要求を受信すると、文字データと画像ＩＤを含む第１の情報を所定の条件に基づき生成し、当該第１の情報を前記リーダライタ端末へ送信し、
前記リーダライタ端末は、前記第１の情報を受信すると、当該リーダライタ端末内のメモリから当該第１の情報に含まれる画像ＩＤに対応付いた画像データを検索し、前記第１の情報に含まれる文字データと前記検索して得られた画像データとを含む第２の情報を生成し、非接触ＩＣ通信を行って当該第２の情報を前記携帯端末へ送信する
ことを特徴とする情報配信方法。
【請求項９】
サーバ装置が生成する情報を非接触ＩＣを内蔵した携帯端末へ配信するリーダライタ端末において、
制御部と、画像ＩＤと画像データとを対応付けて記憶するメモリと、非接触ＩＣ通信を行う非接触ＩＣ通信部と、ネットワーク通信部と、を備え、
前記非接触ＩＣ通信部が非接触ＩＣ通信を行って携帯端末を検出すると、前記ネットワーク通信部が前記サーバ装置へ第１の情報配信要求を送信し、
前記ネットワーク通信部が、前記サーバ装置が所定の条件に基づき生成した画像ＩＤを含む第１の情報を当該サーバ装置から受信すると、前記制御部が前記メモリから当該画像ＩＤに対応付いた画像データを検索し、さらに前記制御部はこの検索して得られた画像データを含む第２の情報を生成し、前記非接触ＩＣ通信部が非接触ＩＣ通信を行って当該第２の情報を前記携帯端末へ送信する
ことを特徴とするリーダライタ端末。
【請求項１０】
前記制御部が前記メモリを検索して前記第１の情報に含まれる画像ＩＤに対応付いた画像データを得られなかった場合、前記ネットワーク通信部が前記サーバ装置へ前記画像ＩＤに対応付いた画像データの要求を含む第２の情報配信要求を送信し、
前記ネットワーク通信部が前記サーバ装置が前記前記第２の情報配信要求に基づき生成した画像ＩＤと画像データを含む第３の情報を当該サーバ装置から受信すると、前記制御部が当該第３の情報から画像データを含む第４の情報を生成し、前記非接触ＩＣ通信部が非接触ＩＣ通信を行って当該第４の情報を前記携帯端末へ送信する
ことを特徴とする請求項９に記載のリーダライタ端末。
【請求項１１】
サーバ装置が生成する情報を非接触ＩＣを内蔵した携帯端末へ配信するリーダライタ端末において、
制御部と、画像ＩＤと画像データとを対応付けて記憶するメモリと、非接触ＩＣ通信を行う非接触ＩＣ通信部と、ネットワーク通信部と、を備え、
前記非接触ＩＣ通信部が非接触ＩＣ通信を行って携帯端末を検出すると、前記ネットワーク通信部が前記サーバ装置へ第１の情報配信要求を送信し、
前記ネットワーク通信部が、前記サーバ装置が所定の条件に基づき生成した文字データと画像ＩＤを含む第１の情報を当該サーバ装置から受信すると、前記制御部が前記メモリから当該画像ＩＤに対応付いた画像データを検索し、さらに前記制御部は前記第１の情報に含まれる文字データと前記検索して得られた画像データとを含む第２の情報を生成し、前記非接触ＩＣ通信部が非接触ＩＣ通信を行って当該第２の情報を前記携帯端末へ送信する
ことを特徴とするリーダライタ端末。
【請求項１２】
前記制御部が前記メモリを検索して前記第１の情報に含まれる画像ＩＤに対応付いた画像データを得られなかった場合、前記ネットワーク通信部が前記サーバ装置へ前記画像ＩＤに対応付いた画像データの要求を含む第２の情報配信要求を送信し、
前記ネットワーク通信部が前記前記第２の情報配信要求に基づき前記サーバ装置が生成した文字データと画像ＩＤと画像データを含む第３の情報を当該サーバ装置から受信すると、前記制御部が当該第３の情報から文字データと画像データを含む第４の情報を生成し、前記非接触ＩＣ通信部が非接触ＩＣ通信を行って当該第４の情報を前記携帯端末へ送信する
ことを特徴とする請求項１１に記載のリーダライタ端末。
【発明の詳細な説明】
【技術分野】
【０００１】
本発明は、非接触ＩＣ通信を行うリーダライタ端末から顧客が所有する非接触ＩＣ内蔵携帯端末へ、サーバ装置が生成する情報を配信するための情報配信システム、情報配信方法、そのためのリーダライタ端末に関する。
【背景技術】
【０００２】
従来、携帯電話やモバイルコンピュータなどの移動体通信端末へ商品や宣伝、広告といった情報を提供する情報システムが実現されている。特に、極め細やかに情報を配信して広告効果を向上させるため、移動体通信端末を所持する利用者の位置を特定する手段をもち、その場所にあった広告を配信する広告提供システムとして、特許文献１が提案されている。
【先行技術文献】
【特許文献】
【０００３】
【特許文献１】特許第３５２８９１８号公報
【発明の概要】
【発明が解決しようとする課題】
【０００４】
一方、近年、サーバ装置とネットワークで接続された非接触ＩＣ通信が可能なリーダライタ端末から、非接触ＩＣ通信を行う携帯端末へ、サーバ装置が生成する大量データをアドホック通信的に送信する通信システムが実現されている。しかしながら、配信情報のデータサイズは、プロモーション効果を高めるために絵や写真などを利用してリッチ化の方向にある。このため、絵や写真などの画像データを携帯端末へ配信するとき、リーダライタ端末とサーバ装置間の通信回線に依存して配信に要する時間が長くなる。そして、従来技術では、同じ画像データを繰り返し配信する場合であっても、その度にサーバ装置とリーダライタ端末との間でネットワークを介して画像データを送受信する。このため、従来技術は、大きな配信時間がかかる画像データの送受信を繰り返し行う必要がある、という課題がある。
【０００５】
本発明は、上記課題を解決するためになされたもので、サーバ装置が生成した情報を携帯端末へ配信するときに、サーバ装置からリーダライタ端末へ同じ画像データが繰り返し送信される回数を少なくすることを目的としている。
【課題を解決するための手段】
【０００６】
上記課題を解決するために、請求項１に記載の発明は、非接触ＩＣ通信を行うリーダライタ端末から非接触ＩＣを内蔵した携帯端末へ、サーバ装置が生成する情報を配信する情報配信システムにおいて、前記サーバ装置は、第１のネットワーク通信部と、画像ＩＤと画像データとを対応付けて記憶する配信情報管理部と、前記配信情報管理部から所定の情報を生成する配信情報生成部と、を備え、前記リーダライタ端末は、制御部と、画像ＩＤと画像データとを対応付けて記憶するメモリと、非接触ＩＣ通信を行う非接触ＩＣ通信部と、第２のネットワーク通信部と、を備え、前記リーダライタ端末は、前記非接触ＩＣ通信部が非接触ＩＣ通信を行って携帯端末を検出すると、前記第２のネットワーク通信部が前記サーバ装置へ第１の情報配信要求を送信し、前記サーバ装置は、前記第１のネットワーク通信部が前記第１の情報配信要求を受信すると、前記配信情報生成部が前記配信情報管理部に記憶されている画像ＩＤを含む第１の情報を所定の条件に基づき生成し、当該第１の情報を前記第１のネットワーク通信部が前記リーダライタ端末へ送信し、前記リーダライタ端末は、前記第２のネットワーク通信部が前記第１の情報を受信すると、前記制御部が前記メモリから当該第１の情報に含まれる画像ＩＤに対応付いた画像データを検索し、さらに前記制御部はこの検索して得られた画像データを含む第２の情報を生成し、前記非接触ＩＣ通信部が非接触ＩＣ通信を行って当該第２の情報を前記携帯端末へ送信することを特徴とする。
【０００７】
請求項２に記載の発明は、前記リーダライタ端末は、前記制御部が前記メモリを検索して前記第１の情報に含まれる画像ＩＤに対応付いた画像データを得られなかった場合、前記第２のネットワーク通信部が前記サーバ装置へ前記画像ＩＤに対応付いた画像データの要求を含む第２の情報配信要求を送信し、前記サーバ装置は、前記第１のネットワーク通信部が前記第２の情報配信要求を受信すると、前記所定の条件を満たすように前記配信情報生成部が前記配信情報管理部に対応付けて記憶されている画像ＩＤと画像データとを含む第３の情報を生成し、当該第３の情報を前記第１のネットワーク通信部が前記リーダライタ端末へ送信し、前記リーダライタ端末は、前記第２のネットワーク通信部が受信した前記第３の情報のうち、少なくとも画像データを含む第４の情報を前記制御部が生成し、前記非接触ＩＣ通信部が非接触ＩＣ通信を行って当該第４の情報を前記携帯端末へ送信することを特徴とする。
【０００８】
請求項３に記載の発明は、前記制御部は、前記サーバ装置から受信した前記第３の情報に含まれる画像ＩＤと画像データとを対応付けて前記メモリに記憶することを特徴とする。
【０００９】
請求項４に記載の発明は、前記メモリの空き容量が前記第３の情報に含まれる画像ＩＤと画像データとのデータサイズに満たない場合、前記制御部は前記メモリの空き容量が前記データサイズを上回るように前記メモリから画像データを古い順に削除し、前記第３の情報に含まれる画像ＩＤと画像データとを対応付けて前記メモリに記憶することを特徴とする。
【００１０】
請求項５に記載の発明は、非接触ＩＣ通信を行うリーダライタ端末から非接触ＩＣを内蔵した携帯端末へ、サーバ装置が生成する情報を配信する情報配信システムにおいて、前記サーバ装置は、第１のネットワーク通信部と、文字データと画像ＩＤと画像データとを対応付けて記憶する配信情報管理部と、前記配信情報管理部から所定の情報を生成する配信情報生成部と、を備え、前記リーダライタ端末は、制御部と、画像ＩＤと画像データとを対応付けて記憶するメモリと、非接触ＩＣ通信を行う非接触ＩＣ通信部と、第２のネットワーク通信部と、を備え、前記リーダライタ端末は、前記非接触ＩＣ通信部が非接触ＩＣ通信を行って携帯端末を検出すると、前記第２のネットワーク通信部が前記サーバ装置へ第１の情報配信要求を送信し、前記サーバ装置は、前記第１のネットワーク通信部が前記第１の情報配信要求を受信すると、前記配信情報生成部が前記配信情報管理部に対応付けて記憶されている文字データと画像ＩＤを含む第１の情報を所定の条件に基づき生成し、当該第１の情報を前記第１のネットワーク通信部が前記リーダライタ端末へ送信し、前記リーダライタ端末は、前記第２のネットワーク通信部が前記第１の情報を受信すると、前記制御部が前記メモリから当該第１の情報に含まれる画像ＩＤに対応付いた画像データを検索し、さらに前記制御部は前記第１の情報に含まれる文字データと前記検索して得られた画像データを含む第２の情報を生成し、前記非接触ＩＣ通信部が非接触ＩＣ通信を行って当該第２の情報を前記携帯端末へ送信することを特徴とする。
【００１１】
請求項６に記載の発明は、前記リーダライタ端末は、前記制御部が前記メモリを検索して前記第１の情報に含まれる画像ＩＤに対応付いた画像データを得られなかった場合、前記第２のネットワーク通信部が前記サーバ装置へ前記画像ＩＤに対応付いた画像データの要求を含む第２の情報配信要求を送信し、前記サーバ装置は、前記第１のネットワーク通信部が前記第２の情報配信要求を受信すると、前記所定の条件を満たすように前記配信情報生成部が前記配信情報管理部に対応付けて記憶されている文字データと画像ＩＤと画像データとを含む第３の情報を生成し、当該第３の情報を前記第１のネットワーク通信部が前記リーダライタ端末へ送信し、前記リーダライタ端末は、前記第２のネットワーク通信部が受信した前記第３の情報のうち、少なくとも文字データと画像データとを含む第４の情報を前記制御部が生成し、前記非接触ＩＣ通信部が非接触ＩＣ通信を行って当該第４の情報を前記携帯端末へ送信することを特徴とする。
【００１２】
請求項７に記載の発明は、非接触ＩＣ通信を行うリーダライタ端末から非接触ＩＣを内蔵した携帯端末へ、サーバ装置が生成する情報を配信する情報配信方法において、前記リーダライタ端末は、非接触ＩＣ通信を行って携帯端末を検出すると、前記サーバ装置へ第１の情報配信要求を送信し、前記サーバ装置は、前記第１の情報配信要求を受信すると、画像ＩＤを含む第１の情報を所定の条件に基づき生成し、当該第１の情報を前記リーダライタ端末へ送信し、前記リーダライタ端末は、前記第１の情報を受信すると、当該リーダライタ端末内のメモリから当該第１の情報に含まれる画像ＩＤに対応付いた画像データを検索し、この検索して得られた画像データを含む第２の情報を生成し、非接触ＩＣ通信を行って当該第２の情報を前記携帯端末へ送信することを特徴とする。
【００１３】
請求項８に記載の発明は、非接触ＩＣ通信を行うリーダライタ端末から非接触ＩＣを内蔵した携帯端末へ、サーバ装置が生成する情報を配信する情報配信方法において、前記リーダライタ端末は、非接触ＩＣ通信を行って携帯端末を検出すると、前記サーバ装置へ第１の情報配信要求を送信し、前記サーバ装置は、前記第１の情報配信要求を受信すると、文字データと画像ＩＤを含む第１の情報を所定の条件に基づき生成し、当該第１の情報を前記リーダライタ端末へ送信し、前記リーダライタ端末は、前記第１の情報を受信すると、当該リーダライタ端末内のメモリから当該第１の情報に含まれる画像ＩＤに対応付いた画像データを検索し、前記第１の情報に含まれる文字データと前記検索して得られた画像データとを含む第２の情報を生成し、非接触ＩＣ通信を行って当該第２の情報を前記携帯端末へ送信することを特徴とする。
【００１４】
請求項９に記載の発明は、サーバ装置が生成する情報を非接触ＩＣを内蔵した携帯端末へ配信するリーダライタ端末において、制御部と、画像ＩＤと画像データとを対応付けて記憶するメモリと、非接触ＩＣ通信を行う非接触ＩＣ通信部と、ネットワーク通信部と、を備え、前記非接触ＩＣ通信部が非接触ＩＣ通信を行って携帯端末を検出すると、前記ネットワーク通信部が前記サーバ装置へ第１の情報配信要求を送信し、前記ネットワーク通信部が、前記サーバ装置が所定の条件に基づき生成した画像ＩＤを含む第１の情報を当該サーバ装置から受信すると、前記制御部が前記メモリから当該画像ＩＤに対応付いた画像データを検索し、さらに前記制御部はこの検索して得られた画像データを含む第２の情報を生成し、前記非接触ＩＣ通信部が非接触ＩＣ通信を行って当該第２の情報を前記携帯端末へ送信することを特徴とする。
【００１５】
請求項１０に記載の発明は、前記制御部が前記メモリを検索して前記第１の情報に含まれる画像ＩＤに対応付いた画像データを得られなかった場合、前記ネットワーク通信部が前記サーバ装置へ前記画像ＩＤに対応付いた画像データの要求を含む第２の情報配信要求を送信し、前記ネットワーク通信部が前記サーバ装置が前記前記第２の情報配信要求に基づき生成した画像ＩＤと画像データを含む第３の情報を当該サーバ装置から受信すると、前記制御部が当該第３の情報から画像データを含む第４の情報を生成し、前記非接触ＩＣ通信部が非接触ＩＣ通信を行って当該第４の情報を前記携帯端末へ送信することを特徴とする。
【００１６】
請求項１１に記載の発明は、サーバ装置が生成する情報を非接触ＩＣを内蔵した携帯端末へ配信するリーダライタ端末において、制御部と、画像ＩＤと画像データとを対応付けて記憶するメモリと、非接触ＩＣ通信を行う非接触ＩＣ通信部と、ネットワーク通信部と、を備え、前記非接触ＩＣ通信部が非接触ＩＣ通信を行って携帯端末を検出すると、前記ネットワーク通信部が前記サーバ装置へ第１の情報配信要求を送信し、前記ネットワーク通信部が、前記サーバ装置が所定の条件に基づき生成した文字データと画像ＩＤを含む第１の情報を当該サーバ装置から受信すると、前記制御部が前記メモリから当該画像ＩＤに対応付いた画像データを検索し、さらに前記制御部は前記第１の情報に含まれる文字データと前記検索して得られた画像データとを含む第２の情報を生成し、前記非接触ＩＣ通信部が非接触ＩＣ通信を行って当該第２の情報を前記携帯端末へ送信することを特徴とする。
【００１７】
請求項１２に記載の発明は、前記制御部が前記メモリを検索して前記第１の情報に含まれる画像ＩＤに対応付いた画像データを得られなかった場合、前記ネットワーク通信部が前記サーバ装置へ前記画像ＩＤに対応付いた画像データの要求を含む第２の情報配信要求を送信し、前記ネットワーク通信部が前記前記第２の情報配信要求に基づき前記サーバ装置が生成した文字データと画像ＩＤと画像データを含む第３の情報を当該サーバ装置から受信すると、前記制御部が当該第３の情報から文字データと画像データを含む第４の情報を生成し、前記非接触ＩＣ通信部が非接触ＩＣ通信を行って当該第４の情報を前記携帯端末へ送信することを特徴とする。
【発明の効果】
【００１８】
本発明によれば、サーバ装置が生成した情報を携帯端末へ配信するときに、サーバ装置からリーダライタ端末へ、同じ画像データが繰り返し送信される回数を少なくすることができる。
【図面の簡単な説明】
【００１９】
【図１】本発明のシステム構成図である。
【図２】携帯端末管理テーブル１３の一例を示した図である。
【図３】配信情報管理テーブル１４の一例を示した図である。
【図４】第１の実施例における情報配信時の通信シーケンスである。
【図５】情報配信要求メッセージ５のデータ構造である。
【図６】情報配信応答メッセージ６のデータ構造である。
【図７】第２の実施例における情報配信時の通信シーケンスである。
【発明を実施するための形態】
【００２０】
添付図面を適宜参照しながら、本発明にかかる情報配信システムの好適な実施の形態について説明する。
図１〜３は、本発明の実施例を実現するための構成を説明する図である。
【００２１】
図１は、本発明のシステム構成図である。
図１において、１は販売促進情報などの情報を配信するサービスサーバとして機能するサーバ装置、２は非接触ＩＣ通信を行うＲ／Ｗ（リーダライタ）端末である。サーバ装置１とＲ／Ｗ端末２とは、ＬＡＮやインターネットなどのネットワーク４を介して接続されている。３は非接触ＩＣカードを内蔵している携帯端末であり、Ｒ／Ｗ端末２と携帯端末３とは、非接触ＩＣ通信によりデータの送受信を行う。携帯端末３は識別番号である携帯端末ＩＤを有しており、このＩＤとしては、たとえばＦｅｌｉｃａチップ（登録商標）の製造番号を使う。
【００２２】
サーバ装置１は、ネットワーク４を介してデータを送受信するネットワーク通信部１１、携帯端末３へ配信する販売促進情報を生成する配信情報生成部１２を備える。配信情報生成部１２は、携帯端末管理テーブル１３から携帯端末の保有者属性情報を得て、この結果を利用して配信情報管理テーブル１４を検索し、携帯端末３へ配信する販売促進情報を生成する。画像フォルダ１５は、Ｒ／Ｗ端末２へ送信する画像データを保有している。サーバ装置１は、当該サーバを動作させるためのプログラムを格納する不図示の領域を有する。
【００２３】
携帯端末３へ配信する画像を含んだ販売促進情報としては、たとえば店舗の広告やクーポンを想定しているが、これらに限定されない。たとえば、店舗の広告やクーポンとは直結しないニュースや音楽・動画などのコンテンツであってもよく、これらのコンテンツを配信することで、店舗への来店を促すことができる。
【００２４】
Ｒ／Ｗ端末２は、ネットワーク４を介してデータを送受信するネットワーク通信部２１、Ｒ／Ｗ端末２全体の動作を制御する制御部２２、非接触ＩＣ通信を行う非接触ＩＣ通信部２３、画像ＩＤと画像データとを対応付けて記憶するメモリ２４、を備える。メモリ２４は、このＲ／Ｗ端末の識別番号であるＲ／Ｗ端末ＩＤを有している。
【００２５】
制御部２２の機能としては、たとえば、画像ＩＤをキーにして、メモリ２４から画像ＩＤに対応付いた画像データを検索する。また、制御部２２は、携帯端末３へ配信するための情報を、メモリ２４を検索して得られた画像データを使って生成する。
【００２６】
本発明の本質的な動作は以下である。
すなわち、Ｒ／Ｗ端末２は、非接触ＩＣ通信により携帯端末３がタッチされたことを検出すると、所定の条件に基づく第１の情報配信要求を、ネットワーク４を介してサーバ装置１に送信する。サーバ装置１では、所定の条件、たとえば携帯端末ＩＤやＲ／Ｗ端末２のＩＤやこれらのＩＤを受信した時刻、に基づき画像ＩＤを含む第１の情報を生成し、ネットワーク４を介してＲ／Ｗ端末２に送信する。
【００２７】
Ｒ／Ｗ端末２は、画像ＩＤをキーにしてＲ／Ｗ端末２内のメモリを検索し、画像ＩＤに対応する画像データを得て、この画像データを含む第２の情報を生成し、非接触ＩＣ通信を使って携帯端末３へ配信する。
【００２８】
Ｒ／Ｗ端末２は、画像ＩＤをキーにしてＲ／Ｗ端末２内のメモリを検索し、画像ＩＤに対応する画像データを得られなかった場合は、画像データの要求を含む第２の情報配信要求を、ネットワーク４を介してサーバ装置１に送信する。サーバ装置１では、画像データを含む第３の情報を所定の条件に基づき生成し、ネットワーク４を介してＲ／Ｗ端末２に第３の情報を送信する。Ｒ／Ｗ端末２は、第３の情報から画像データを含む第４の情報を生成し、非接触ＩＣ通信を使って携帯端末３へ配信する。
【００２９】
この結果、サーバ装置が生成した情報を携帯端末へ配信するときに、サーバ装置からリーダライタ端末へ同じ画像データが繰り返し送信される回数を少なくすることができる。また、Ｒ／Ｗ端末が画像ＩＤに対応付いた画像データを有する場合は、サーバ装置からＲ／Ｗ端末へ画像データを送らなくてよいので、その分だけサーバ装置から携帯端末への情報配信の時間を短縮できる。
【００３０】
図２は、携帯端末管理テーブル１３の一例を示した図である。
携帯端末管理テーブル１３は、携帯端末ＩＤと携帯端末の保有者属性情報とを対応付けて保存している。携帯端末保有者属性情報は、携帯端末の保有者に関する属性情報であり、本実施例では保有者の年齢および性別としている。
【００３１】
図３は、配信情報管理テーブル１４の一例を示した図である。
配信情報管理テーブル１４は、配信情報ＩＤとこの配信情報が配信される配信期間、携帯端末保有者属性情報、および販売促進情報６５とを対応付けて保存している。販売促進情報６５は、配信先のＲ／Ｗ端末２や携帯端末３、配信時刻、広告内容などの配信ごとに変化する文字データ部６５１と、文字データ部と比較して配信ごとに変化することが少ない画像データ部６５２とからなる。
【００３２】
文字データ部６５１は、配信情報のタイトル、配信情報の本文、詳細情報を得られるリンク先であるＵＲＬを含む。画像データ部６５２は、画像ＩＤ、および画像フォルダ１５から画像データを取得するための画像保存場所に関する情報を含んでいる。
【００３３】
図３を用いて、サーバ装置が生成した情報を携帯端末へ配信するときに、サーバ装置からリーダライタ端末へ同じ画像データが繰り返し送信される回数を少なくすることができる、という本発明の効果について言及する。
【００３４】
配信情報ＩＤ＝１００２と配信情報ＩＤ＝１００３は、販売促進情報の配信期間の違いによって、文字データ部６５１の本文が異なる。配信情報ＩＤ＝１００２では、文字データ部６５１の本文は「平日にご来店の方へ・・・」だが、配信情報ＩＤ＝１００３では「土・日曜日にご来店の方へ・・・」である。一方、画像データは、配信情報ＩＤ＝１００２・１００３のどちらであっても、「画像ＩＤ＝２００」を共用できる。よって、本発明によると、いったん画像ＩＤ＝２００に対応付いた画像データをＲ／Ｗ端末２に登録しておけば、２００８／１１／１以降に再度、画像ＩＤ＝２００に対応付いた画像データをサーバ装置からＲ／Ｗ端末へ送信することが不要となる。すなわち、サーバ装置が生成した情報を携帯端末へ配信するときに、サーバ装置からリーダライタ端末へ同じ画像データが繰り返し送信される回数を少なくすることができる。
【００３５】
＜第１の実施例＞
図４は、第１の実施例における情報配信時の通信シーケンスである。図４は、サーバ装置１が保有する販売促進情報を、Ｒ／Ｗ端末２を経由して携帯端末３へ配信するときに、Ｒ／Ｗ端末２のメモリ２４が携帯端末３へ配信する画像データを保有している場合の処理を説明する図である。
【００３６】
非接触ＩＣカードを内蔵した携帯端末ＩＤ＝１である携帯端末３が、Ｒ／Ｗ端末ＩＤ＝１であるＲ／Ｗ端末２にタッチされると、Ｒ／Ｗ端末２は非接触ＩＣ通信を行って非接触ＩＣ通信部２３が携帯端末３から携帯端末ＩＤを読み取る（ステップＳ１）。Ｒ／Ｗ端末２の制御部２２は、第１の情報配信要求として、読み取った携帯端末ＩＤ＝１とＲ／Ｗ端末２自身が記憶しているＲ／Ｗ端末ＩＤ＝１を含んだ情報配信要求メッセージ５を生成する。そして、Ｒ／Ｗ端末２の制御部２２は、ネットワーク通信部２１を使って、第１の情報配信要求メッセージ５を、サーバ装置１へネットワーク４を介して送信する（ステップＳ２）。
【００３７】
図５は、ステップＳ２で送信される情報配信要求メッセージ５のデータ構造である。
情報配信要求メッセージ５は、開始フラグ５１、メッセージ種別５２、メッセージ長５３、Ｒ／Ｗ端末ＩＤ５４、携帯端末ＩＤ５５、フレームチェックシーケンス５６、終了フラグ５７から構成される。ステップＳ２で送信される情報配信要求メッセージ５のメッセージ種別５２は、第１の情報配信要求であることを示す“０１”とする。Ｒ／Ｗ端末ＩＤ５４は“１”である。携帯端末ＩＤ５５は“１”である。
【００３８】
図４の説明に戻り、情報配信要求メッセージ５を受信したサーバ装置１は、配信情報生成部１２が、Ｒ／Ｗ端末２を介して携帯端末３へ配信する販売促進情報を、所定の条件に基づき生成する（ステップＳ３）。
【００３９】
本実施例では、所定の条件として、携帯端末ＩＤを使うものとする。なお、所定の条件としては、たとえばサーバ装置１が情報配信要求メッセージ５を受信した時刻や、どのロケーションにあるＲ／Ｗ端末２から受けた情報配信要求かなどを使うこともできる。
【００４０】
図６は、配信情報生成部１２が生成する、Ｒ／Ｗ端末２を介して携帯端末３へ配信する販売促進情報を含んだ情報配信応答メッセージ６のデータ構造である。
情報配信応答メッセージ６は、開始フラグ６１、メッセージ種別６２、メッセージ長６３、Ｒ／Ｗ端末ＩＤ６４、販売促進情報６５、フレームチェックシーケンス６６、終了フラグ６７から構成される。Ｒ／Ｗ端末ＩＤ６４は、情報配信を要求したＲ／Ｗ端末への応答なので、“１”を設定する。販売促進情報６５は、図３で示した配信情報管理テーブル１４における販売促進情報と同一であり、文字データ部６５１と、画像データ部６５２とからなる。画像データ部６５２は、画像ＩＤと画像データとからなる。メッセージ種別６２は、画像データ部６５２に画像データを含むかどうかで異なり、画像データ部６５２が画像ＩＤのみ有する場合は“１１”を設定し、画像データ部６５２が画像ＩＤと画像データの両方を含む場合は“１２”を設定する。
【００４１】
再び図４の説明に戻り、配信情報生成部１２は、受信した携帯端末ＩＤ＝１をキーとして図２の携帯端末管理テーブル１３を検索し、携帯端末の保有者属性情報として「２０代男性」を得る。ついで、配信情報生成部１２は、「携帯端末の保有者属性情報＝２０代男性」をキーとして図３の配信情報管理テーブルを検索し、図３における配信情報ＩＤ＝１００１を得る。そして、配信情報生成部１２は、第１の情報配信要求に対して応答する第１の情報として、メッセージ種別６２を“１１”に設定し、配信情報ＩＤ＝１００１に格納されている文字データ部６５１と画像ＩＤ＝１００のみを有する画像データ部６５２とからなる情報配信応答メッセージ６を生成する。ネットワーク通信部１１は、この第１の情報を、ネットワーク４を介してＲ／Ｗ端末２へ送信する（ステップＳ４）。
【００４２】
情報配信応答メッセージ６を受信したＲ／Ｗ端末２は、制御部２２が、画像データ部６５２に含まれる画像ＩＤをキーにしてメモリ２４を検索する。メモリ２４に画像ＩＤと対応付いた画像データがある場合は（ステップＳ５，Ｙｅｓ）、制御部２２は画像ＩＤに対応付いた画像データを含む第２の情報を生成する（ステップＳ６）。そして、制御部２２は、非接触ＩＣ通信部２３を使って携帯端末３へ第２の情報を送信する（ステップＳ７）。第２の情報には、画像データだけでなく、文字データ部６５１の内容を含んでもよい。
【００４３】
このように、第１の実施例によれば、サーバ装置が生成した情報を携帯端末へ配信するときに、サーバ装置はまず画像ＩＤをＲ／Ｗ端末へ送信する。Ｒ／Ｗ端末が、この画像ＩＤに対応付いた画像データを有する場合は、Ｒ／Ｗ端末はこの画像データを含んだ情報を携帯端末へ配信する。
【００４４】
よって、サーバ装置からＲ／Ｗ端末へ、同じ画像データが繰り返し送信される回数を少なくすることができる。また、Ｒ／Ｗ端末が画像ＩＤに対応付いた画像データを有する場合は、サーバ装置からＲ／Ｗ端末へ画像データを送らなくてよいので、その分だけサーバ装置から携帯端末への情報配信の時間を短縮できる。
【００４５】
さらに、第１の実施例によれば、複数のＲ／Ｗ端末を有する場合、従来技術と比べてネットワーク負荷を小さくできる、という効果も得られる。従来技術では、複数のＲ／Ｗ端末からサーバ装置へ情報の配信要求が同時期にあった場合、サーバ装置から複数のＲ／Ｗ端末のそれぞれへ画像データを送信するため、ネットワーク負荷が大きくなる。これに対して、第１の実施例では、画像ＩＤに対応付いた画像データを有するＲ／Ｗ端末へは、サーバ装置からＲ／Ｗ端末へ画像データを送らなくてよいので、その分だけネットワーク負荷を小さくできる。
【００４６】
＜第２の実施例＞
図７は、第２の実施例における情報配信時の通信シーケンスである。図７は、サーバ装置１が保有する販売促進情報を、Ｒ／Ｗ端末２を経由して携帯端末３へ配信するときに、Ｒ／Ｗ端末２のメモリ２４が携帯端末３へ配信する画像データを保有していない場合の処理を説明する図である。
【００４７】
図７は、図４に対し、Ｒ／Ｗ端末２に画像データがなかった場合（ステップＳ５，Ｎｏ）の処理を示している。ステップＳ１〜Ｓ４までの処理は、第１の実施例と同様なので、説明を省略する。
【００４８】
ステップＳ４において、文字データ部６５１と画像ＩＤのみを含む画像データ部６５２とからなる第１の情報（情報配信応答メッセージ６）を受信したＲ／Ｗ端末２は、制御部２２が、画像データ部６５２に含まれる画像ＩＤをキーにしてメモリ２４を検索する。メモリ２４に画像ＩＤと対応付いた画像データがない場合（ステップＳ５，Ｎｏ）、Ｒ／Ｗ端末２の制御部２２は、第２の情報配信要求としての情報配信要求メッセージ５を生成する。そして、制御部２２は、ネットワーク通信部２１を使ってサーバ装置１へ第２の情報配信要求を送信する（ステップＳ１１）。
【００４９】
ステップＳ１１で送信される情報配信要求メッセージ５のメッセージ種別５２は、第２の情報配信要求であることを示す“０２”を設定する。「メッセージ種別５２＝０２」は、画像ＩＤに対応付いた画像データの配信を要求するメッセージであることを示す。
【００５０】
第２の情報配信要求を受信したサーバ装置１は、配信情報を再生成する（ステップＳ１２）。具体的には、図３における配信情報ＩＤ＝１００１の文字データ部６５１の情報に加え、画像データ部６５２の画像ＩＤと、画像データ部６５２の画像保存場所に基づき画像フォルダ１５から呼び出した画像データを含む第３の情報を生成する。メッセージ種別６２には、画像データを含む配信であることを示す“１２”を設定し、第３の情報としての配信情報応答メッセージ６をＲ／Ｗ端末２へ送信する（ステップＳ１３）。
【００５１】
第３の情報を受信したＲ／Ｗ端末２の制御部２２は、少なくとも画像データを含む第４の情報を生成し（ステップＳ１４）、非接触ＩＣ通信部２３を使って携帯端末３へ第４の情報を送信する（ステップＳ１５）。第４の情報には、画像データだけでなく、文字データ部６５１の内容を含んでもよい。
【００５２】
その後、Ｒ／Ｗ端末２の制御部２２は、メモリ２４に、第３の情報に含まれる画像ＩＤと画像データを対応付けて登録する（ステップＳ１６）。なお、ステップＳ１６において、メモリ２４の空き容量が第３の情報に含まれる画像ＩＤと画像データとのデータサイズに満たない場合、制御部２２はメモリ２４の空き容量が画像ＩＤと画像データとのデータサイズを上回るように、メモリ２４から画像データを古い順に削除する。そして、十分な空き容量を作ってから、第３の情報に含まれる画像ＩＤと画像データとを対応付けてメモリ２４に登録する。
【００５３】
このように、第２の実施例によれば、サーバ装置が生成した情報を携帯端末へ配信するときに、サーバ装置はまず画像ＩＤをＲ／Ｗ端末へ送信する。Ｒ／Ｗ端末がこの画像ＩＤに対応付いた画像データを有しない場合は、Ｒ／Ｗ端末は画像データを要求する第２の情報配信要求をサーバ装置へ送信する。よって、Ｒ／Ｗ端末に画像データがない場合のみ、サーバ装置からＲ／Ｗ端末へ画像データを送信するため、サーバ装置からＲ／Ｗ端末へ画像データを繰り返し送信する回数を少なくすることができる。
【００５４】
さらに、Ｒ／Ｗ端末のメモリの空き容量が小さい場合は、メモリから画像データを古い順に削除し、新しい画像データを登録する。よって、Ｒ／Ｗ端末は、メモリ容量を大きくすることなく、最新の画像データを保有することができる。
【符号の説明】
【００５５】
１    サーバ装置
１１  ネットワーク通信部
１２  配信情報生成部
１３  携帯端末管理テーブル
１４  配信情報管理テーブル
１５  画像フォルダ
２    リーダライタ（Ｒ／Ｗ）端末
２１  ネットワーク通信部
２２  制御部
２３  非接触ＩＣ通信部
２４  メモリ
３    携帯端末
４    ネットワーク
５    情報配信要求メッセージ
６    情報配信応答メッセージ
【図１】
2011086236.tif 000003
【図２】
2011086236.tif 000004
【図３】
2011086236.tif 000005
【図４】
2011086236.tif 000006
【図５】
2011086236.tif 000007
【図６】
2011086236.tif 000008
【図７】
2011086236.tif 000009